(57)【要約】【課題】シャットダウン後に電源プラグが引き抜かれた場合、不用意に電源ＯＮの操作が実施されても、意図しない電源ＯＮを防ぐことのできる電源監視装置を提供する。【解決手段】画像形成装置内に、商用電源１１から電力が供給されるＰＳＵ１３と、ＰＳＵ１３から電力が入力されるとともに画像形成装置本体の各機器の制御を行うコントローラ１４と、コントローラ１４に接続され画像形成装置本体に対して電源の入り切り操作が行われるスイッチ２０とが設けられ、ＰＳＵ１３及びコントローラ１４の内部に残留している電荷を検出し、その電荷が所定値以上の場合、スイッチ２０が入りに操作されても、画像形成装置本体の起動を制限する電源監視ブロック３１を備えた。【選択図】図１
2014177038.tif 000002
【特許請求の範囲】
【請求項１】
画像形成装置内に、商用電源から電力が供給される電源供給部と、該電源供給部から電力が入力されるとともに画像形成装置本体の各機器の制御を行うコントローラと、該コントローラに接続され前記画像形成装置本体に対して電源の入り切り操作が行われるスイッチとが設けられ、
前記電源供給部及び前記コントローラの内部に残留している電荷を検出し、その電荷が所定値以上の場合、前記スイッチが入りに操作されても、前記画像形成装置本体の起動を制限する電源監視部を備えたことを特徴とする電源監視装置。
【請求項２】
前記電源監視部は、前記電源供給部及び前記コントローラの内部に設けられたコンデンサに蓄電された電荷を検出することを特徴とする請求項１に記載の電源監視装置。
【請求項３】
前記電源監視部は、前記画像形成装置本体の電源プラグがコンセントから引き抜かれていたり、または停電したりしていて、前記電源供給部に電力が供給されていないことを検出する機能を有することを特徴とする請求項１又は２に記載の電源監視装置。
【請求項４】
前記電源供給部には、前記商用電源からの電圧を降圧する変圧器と、降圧した交流電力を直流電力に変換する整流器とが設けられ、
前記電源監視部は、前記変圧器の一次側の交流電圧、前記変圧器の二次側で前記整流器の上流側の交流電圧、及び前記整流器の下流側の直流電圧をそれぞれ検出することを特徴とする請求項１〜３のいずれか一項に記載の電源監視装置。
【請求項５】
前記電源監視部は、前記電源供給部の内部に設けられていることを特徴とする請求項１〜４のいずれか一項に記載の電源監視装置。
【請求項６】
前記電源監視部は、前記コントローラの内部に設けられていることを特徴とする請求項１〜４のいずれか一項に記載の電源監視装置。
【請求項７】
前記電源監視部は、前記電源供給部や前記コントローラ以外の別の箇所に独立して設けられていることを特徴とする請求項１〜４のいずれか一項に記載の電源監視装置。
【請求項８】
請求項１〜７のいずれか一項に記載の電源監視装置が搭載されたことを特徴とする画像形成装置。
【請求項９】
画像形成装置内に、商用電源から電力が供給される電源供給部と、該電源供給部から電力が入力されるとともに画像形成装置本体の各機器の制御を行うコントローラと、該コントローラに接続され前記画像形成装置本体に対して電源の入り切り操作が行われるスイッチとが設けられている場合、
前記電源供給部及び前記コントローラの内部に残留している電荷を検出し、その電荷が所定値以上の場合、前記スイッチが入りに操作されても、前記画像形成装置本体の起動を制限することを特徴とする画像形成装置の電源監視方法。
【発明の詳細な説明】
【技術分野】
【０００１】
本発明は、電源監視装置及び該電源監視装置を搭載した画像形成装置、並びに画像形成装置における電源監視方法に関する。
【背景技術】
【０００２】
近年、複写機やファクシミリ等の画像形成装置において、シャットダウン機能を備えたものが知られている。このようなシャットダウン機能を備えていると、画像形成装置に種々の動作を行わせることが可能となり、かつ省エネにも貢献している。例えば、シャットダウン機能があると、画像形成装置に対して決まった時刻に自動的に電源をＯＮ（オン）させたり、ＯＦＦ(シャットダウン)させたりすることが可能となる（例えば、特許文献１参照）。
【０００３】
このようなＯＮ・ＯＦＦ動作は、画像形成装置内の電源制御ブロック（詳細には、電源制御ブロック内の電源制御ＩＣ）により実施される。また、シャットダウン機能を備えた画像形成装置においては、シャットダウンモード時には電源制御ＩＣ以外のデバイスの電源をＯＦＦ動作にすることが可能である。そのため、このような画像形成装置は、従来のスリープモードのようなＡＳＩＣ（Application Specific Integrated Circuit）の一部ＯＮによる電力消費も軽減され、省エネ対策も満たしている。
【０００４】
なお、画像形成装置の電源ＯＦＦ(シャットダウン)後に、電源制御ＩＣが自動的に電源ＯＮ（オン）になるためには、電源ＯＦＦ後も電源制御ＩＣにも電力が供給されていることが必要である。
【発明の概要】
【発明が解決しようとする課題】
【０００５】
しかしながら、上記従来の画像形成装置では、以下に示すような２つの問題点がある。
【０００６】
先ず、１つ目の問題点として、手動での電源ＯＦＦ、自動での電源ＯＮ・ＯＦＦに対応した画像形成装置においては、シャットダウン後に電源プラグを抜き出しても、負荷側や電源ブロックのキャパシタンス成分に残った残留電荷により、電源ＯＮとなる場合がある。すなわち、前記残留電荷により、ＰＳＵ(Power Supply Unit)とコントローラの電源ブロックには一定時間、電位差が生じている。そのため、電源遮断後に、不用意に電源ボタンを押す等、電源をＯＮするための操作が行われた場合、例え電源プラグが抜かれていても、電源制御ＩＣによりコントローラの電源ＯＮのための処理が開始されてしまうことがある。残留電荷が抜け、電源ブロックに生じている電位差がコントローラに必要な最小電圧まで降下するまで、コントローラの起動処理が実施される。
【０００７】
そして、残留電荷が減少すると、コントローラをＯＮし続けるために必要な電位差を下回り、強制的にコントローラがＯＦＦされる。実施機種、形態にもよるが、現状の機種だと１〜２秒間、電源ＯＮのための操作がなされ、その後強制オフとなる。
【０００８】
このように、意図しないで電源ＯＮされて、その処理中に、強制的に電源ＯＦＦが実行されると、ＮＡＮＤフラッシュなどのメモリ等、コントローラ上に実装されたデバイスの破損等、不具合発生の虞がある。
【０００９】
次に、２つ目の問題点として、画像形成装置のＯＮ時（稼働時）に停電したときに電源復旧後に自動的にＯＮする画像形成装置において、電源プラグがコンセントから引き抜かれた後、不用意に電源ボタンを押す等した場合、同様に残留電荷により電源ＯＮとなる。
【００１０】
残留電荷が抜け、電源ブロックに生じている電位差がコントローラに必要な最小電圧まで降下するまで、コントローラの起動処理が実施される。そのため、一度ＯＮした後に強制的にＯＦＦされることで、コントローラは停電により電源が断たれたと判別する。その結果、次回、電源プラグをコンセントを差し込んだ時に、電源制御ＩＣは、停電からの復旧で電力が供給されたと判断し、意図しないで電源ＯＮが実施される。
【００１１】
本発明の課題は、シャットダウン後に電源プラグが引き抜かれた場合、不用意に電源ＯＮの操作が実施されても、意図しない電源ＯＮを防ぐことのできる電源監視装置、及び画像形成装置、並びに画像形成装置の電源監視方法を提供することにある。
【課題を解決するための手段】
【００１２】
上記課題を解決するために、本発明は、画像形成装置内に、商用電源から電力が供給される電源供給部と、該電源供給部から電力が入力されるとともに画像形成装置本体の各機器の制御を行うコントローラと、該コントローラに接続され前記画像形成装置本体に対して電源の入り切り操作が行われるスイッチとが設けられ、前記電源供給部及び前記コントローラの内部に残留している電荷を検出し、その電荷が所定値以上の場合、前記スイッチが入りに操作されても、前記画像形成装置本体の起動を制限する電源監視部を備えたことを特徴とする。
【発明の効果】
【００１３】
本発明によれば、シャットダウン後に電源プラグが引き抜かれた場合、不用意に電源ＯＮの操作が実施されても、意図しない電源ＯＮを防ぐことができる。その結果、メモリ等、コントローラ上に実装されたデバイスの不具合発生を未然に防ぐことができる。
【図面の簡単な説明】
【００１４】
【図１】実施例１による電源監視装置のブロック図である。
【図２】シャットダウン機能を備えた従来の電源監視装置の一例を示す図である。
【図３】ＰＳＵの内部の詳細な構成を示す図である。
【図４】本実施例の電源監視装置が搭載された画像形成装置の動作フローを示すフローチャートである。
【図５】実施例２による電源監視装置を示す図である。
【図６】実施例３による電源監視装置を示す図である。
【図７】画像形成装置の概略構成図である。
【発明を実施するための形態】
【００１５】
以下、本発明の実施例を図面に従って説明する。
【実施例】
【００１６】
《実施例１》
先ず、実施例１における電源監視装置の概要について説明する。この電源監視装置は、シャットダウン機能(自動で電源ＯＮ・電源ＯＦＦを行う機能)を備えており、複写機やファクシミリ等の画像形成装置に搭載される。
【００１７】
シャットダウン機能を備えた電源監視装置においては、商用電力が供給されているか否かを判別するとともに、その判別結果により、電源ＯＮの操作があった場合に、画像形成装置の電源をＯＮしたり、または電源ＯＮを開始しなかったりする制御が行われている。このような制御を行うことで、シャットダウン時の画像形成装置における、意図しない電源ＯＮを防ぐことができる。 
【００１８】
本実施例における電源監視装置は、以下の事例を鑑みて考えられたものである。画像形成装置の製造工程において、画像形成装置が、電源プラグをコンセントに差し込んだ際に、勝手に電源ＯＮする事例が発生した。すなわち、画像形成装置がシャットダウン機能を備えている場合、シャットダウンが完了し電源プラグをコンセントから引き抜かれた後に、電源ＯＮボタンを押されると、商用電源に接続されていないにもかかわらず、短時間だけ画像形成装置がＯＮされる。この原因を究明した結果、電源ＯＮボタンが押されたとき、画像形成装置内の残留電荷により１〜２秒ほどＯＮし、その後、コントローラの駆動により残留電荷が減少して電位差がなくなって、強制ＯＦＦされることが分かった。
【００１９】
なお、残留電荷は機種の構成によってその量が違っているが、当該画像形成装置の場合は、最大８分間、コントローラに通常入力される５Ｖ電源が維持され続け、その後、急激に電荷が抜けることが判明した。
【００２０】
当該画像形成装置は、電源ＯＮ時に停電が発生し強制ＯＦＦされた場合、電源復旧時に、停電前の状態に戻すために自動で電源をＯＮする機能を有している。そのため、上記のように、電源プラグが引き抜かれた後に電源をＯＮする操作がなされた場合、ＯＮ後に即座に強制ＯＦＦされ、停電が発生したと判別している。これにより、この画像形成装置においては、電源プラグ差し込み時に、停電からの復旧によるものと判断し、自動でＯＮしてしまう。
【００２１】
製造工程において電源ＯＮボタンが押されたことで今回の障害が発生した。機種にもよるが、製造工程にて小さな画像形成装置を移動する際に、電源ＯＮボタンが誤って押される可能性があり、このような事態の発生を未然に防ぐ必要がある。
【００２２】
そこで、製造工程において、電源ＯＮボタンが不用意に押されないようにする方法もある。例えば、電源ＯＮボタンの周りにテープを貼って、電源ＯＮボタンが不用意に押されるのを防ぐことである。しかし、このようにすると、テープを貼るという工程が一つ増えてしまい、コストアップに繋がる。
【００２３】
また、電源ＯＮボタンが不用意に押されることは、ユーザの使用時にも同様に起こり得ることであり、画像形成装置そのものに何か対策が必要となっている。
【００２４】
シャットダウン機能を備えている画像形成装置は、通常、電源制御ＩＣを搭載しているのが一般的である。シャットダウン状態は、通常のスリープ待機時よりも更に省電力であり、電源制御ＩＣを含め、リアルタイムクロック以外のほぼ全てのデバイスをＯＦＦにする。スリープ待機時に電源ＯＮのためのイベントはＣＰＵやＡＳＩＣで監視するが、その場合、ＣＰＵやＡＳＩＣおよびその周辺回路をＯＮし続ける必要がある。また、シャットダウン機能を備えた画像形成装置は、小型の電源制御ＩＣで監視することが可能であり、一般に電力を大きく下げることができる。
【００２５】
上記事例は残留電荷が原因であるため、残留電荷を取り除けばよいと簡単に考えられがちであるが、従来の画像形成装置の構成及びその制御方法ではそれが不可能である。なぜなら、今回、原因となっている残留電荷が残っているにはＰＳＵ(Power Supply Unit：交流を直流に変換する装置)や、電源制御ＩＣを含むコントローラであり、それらには本来常に電源が供給され続けているからである。
【００２６】
仮に、電源が供給されない場合は、シャットダウン時に電源制御ＩＣに電力が供給されず、電源をＯＮするための処理を開始するための手段がなくなってしまう。ＰＳＵやコントローラの電荷を抜こうとしても、これらＰＳＵやコントローラには常に電源が供給され続け、半永久的に電流が流れていることになるので、まったく意味をなさない。
【００２７】
したがって、シャットダウン機能を備えた画像形成装置においては、残留電荷を取り除く以外の方法で、上記障害を解決しなければならず、本実施例はその解決方法を見出した点に特徴がある。
【００２８】
本実施例は、ＰＳＵ→電源制御ＩＣ（コントローラ内に設けられている）間の直流電源ブロック(いわゆる二次電源ブロック)を監視するのではなく、電源プラグ→ＰＳＵ間の交流電源ブロック(いわゆる一次電源ブロック)を監視するようにしている。
【００２９】
ＰＳＵ→電源制御ＩＣ間の直流電源ブロック(二次電源ブロック)を監視する構成だと、上述の不具合を解決できない。シャットダウン後、電源プラグが引き抜かれた後も、ＰＳＵ→電源制御ＩＣ間の直流電源ブロック(二次電源ブロック)には残留電荷により長時間、コントローラがＯＮを開始することが可能な電位差が生じているとする。ＰＳＵ→電源制御ＩＣ間の直流電源ブロックを監視しても、電源プラグが接続されている場合と同様に、コントローラがＯＮを開始することが可能な電位差が生じている。そのため、電源プラグが引き抜かれているにもかかわらずＯＮ可能と判断され、その結果、電源プラグが引き抜かれている場合に、わずかな時間、ＯＮのための処理が実施され、残留電荷が減少すると強制オフされてしまう。
【００３０】
一方、交流電力の供給の有無を監視した場合、シャットダウンし、電源プラグが引き抜かれた後、残留電荷が残っていても、交流電力の供給がないことを検知し、適切な処理を実施することができる。
【００３１】
適切な処理とは、交流電源の供給がない場合において、画像形成装置の電源ＯＮを開始するためのジョブを受けても、ＯＮしないよう制御することを指す。その結果、意図しない電源ＯＮ・強制ＯＦＦを防ぐことができる。意図しない電源ＯＮ・強制ＯＦＦが実施されないので、突然の電源断により壊れる可能性のある画像形成装置内のデバイス(メモリなど)が壊れることを防ぐことができる。また、自動電源ＯＮ・ＯＦＦに対応した画像形成装置においても、上記の事例のような、電源プラグ差し込み時の意図しない電源ＯＮを防ぐことが可能となる。
【００３２】
その処理を実施するのが、電源制御ＩＣである。電源制御はＩＣでなくとも構成可能なので、電源制御ＩＣも含め、以下、電源制御ブロックという。
【００３３】
本実施例の上記特徴部分を有する電源監視装置について、従来の電源監視装置を比較しながら図面を用いて詳細に説明する。
【００３４】
図２は、シャットダウン機能を備えた従来の電源監視装置１０の一例を示す図である。この電源監視装置１０は画像形成装置に搭載される。
【００３５】
図２において、商用電源１１には図示していないコンセントが設けられており、該コンセントに電源プラグ１２を差し込むことにより、電源プラグ１２が商用電源１１に接続される。また、前記コンセントから電源プラグ１２を引き抜くと、電源プラグ１２は商用電源１１から切り離される。
【００３６】
この電源監視装置１０においては、図２に示すように、電源プラグ１２が商用電源１１に接続されている場合、商用電源１１は電源プラグ１２を介してＰＳＵ（Power Supply Unit）１３に接続される。
【００３７】
ＰＳＵ１３は、電源プラグ１２を介して取り込んだ商用電源１１からの交流電圧を降圧するとともに、直流に変換してコントローラ１４の駆動電流としてコントローラ１４へ供給する。また、ＰＳＵ１３には画像書込部１５と画像読取部１６が接続され、このＰＳＵ２３は、これら画像書込部１５及び画像読取部１６への電力の供給と、その供給の切替を実施する。
【００３８】
コントローラ１４には、ＣＰＵやメモリといった各種デバイスが搭載されており、画像形成装置の画像処理や全体の制御を行う。また、コントローラ１４には、読み取った画像データやユーザ情報等を蓄積することが可能なＨＤＤ（Hard Disk Drive）１７、及び画像データの送受信を行うＦＡＸ１８がそれぞれ接続されている。また、コントローラ１４には、ユーザが画像形成装置を操作する際に使用される操作部１９、及び画像形成装置のＯＮ・ＯＦＦを行う際にユーザが操作するスイッチ２０がそれぞれ接続されている。
【００３９】
操作部１９には、画像形成装置の現在のジョブが表示される。なお、操作部１９としては、ユーザが設定した事項やジョブを表示するためのＬＣＤや、各種ジョブを表示してユーザに選択させるタッチパネルが搭載されたものもある。
【００４０】
コントローラ１４には、電源のＯＮ・ＯＦＦを制御する電源制御ブロック２１が設けられている。この場合、電源プラグ１２が商用電源１１に接続されている限り、電源制御ブロック２１には商用電源１１からの電力が供給されている。
【００４１】
シャットダウン時に画像形成装置の電源をＯＮさせる操作として、例えば、スイッチ２０をＯＮした場合を考える。通常、電源プラグ１２が商用電源１１に接続されている場合、スイッチ２０のＯＮを電源制御ブロック２１が検知し、電源制御ブロック２１からＰＳＵ１３に、ＯＮを開始するための信号が送信される。その信号をＰＳＵ１３が受けて、コントローラ１４へ電力供給を開始する。
【００４２】
シャットダウンが完了した後に、商用電源１１に接続されたコンセントから電源プラグ１２が引き抜かれた場合について考える。電源プラグ１２をコンセントから引き抜くことで、商用電源１１とＰＳＵ１３とが物理的に切断され、ＰＳＵ１３への交流電力の供給が停止する。
【００４３】
一方、電源制御ブロック２１は、一般に電力をほとんど消費しない。しかし、例えばＰＳＵ１３と電源制御ブロック２１間など、ＰＳＵ１３よりも後段に位置する電源ブロックの容量成分や負荷に残った残留電荷により、ＰＳＵ１３と電源制御ブロック２１間で一定時間、電位差が維持される。その電位差が、コントローラ１４の電源ＯＮを開始するのに必要な電位差以上であった場合、例え電源プラグ１２がコンセントから引き抜かれた状態であっても、電源制御ブロック２１は、画像形成装置をＯＮするための処理を開始してしまう。
【００４４】
これは、残留電荷が残っていてコントローラ１４をＯＮするのに必要な電位差以上であった場合、電源プラグ１２が商用電源１１に接続されて商用電源１１から電力が供給されている状態と同じ状態となる。ＰＳＵ１３及びコントローラ１４に残留電荷が残っていて、その残留電荷がコントローラ１４をＯＮするのに必要な電位差がある場合、電源制御ブロック２１から見ても、電源プラグ１２が引き抜かれているかいないかの差が無くなる。その結果、一次電源側の電力の供給があるかないかの区別がつかず、そのままＯＮを開始する。
【００４５】
図１は、本実施例の電源監視装置３０の一例を示す図である。この電源監視装置３０も、図２の場合と同様に、シャットダウン機能を有しており、また画像形成装置に搭載される。
【００４６】
本実施例では、電源供給部としてのＰＳＵ１３の内部に、電源監視部としての電源監視ブロック３１が設けられている。この電源監視ブロック３１は、ＰＳＵ１３内及びコントローラ１４内の残留電荷が所定値以上存在しているか否かを判別し、残留電荷が所定値以上存在している場合には、スイッチ２０がＯＮされても、画像形成装置の起動を制限する。
【００４７】
図３は、ＰＳＵ１３の内部の詳細な構成を示す図である。ＰＳＵ１３の内部には、図３に示すように、商用電源１１からの交流電力を降圧する変圧器３２と、降圧された交流電力を直流電力に全波整流する整流器３３と、全波整流された直流電力を平滑する平滑回路３４とが設けられている。
【００４８】
また、ＰＳＵ１３の内部には、変圧器３２の二次側で整流器３３も上流側にコンデンサ３５が設けられている。ここで、コンデンサ３５として１つのコンデンサだけ示したが、変圧器３２の二次側には多数のコンデンサが設けられている。また、変圧器３２の二次側には抵抗等も設けられているが、図３では省略されている。
【００４９】
また、ＰＳＵ１３の内部には、整流器３３の下流側には、平滑回路３４の構成素子の一部であるコンデンサ３６が設けられている。さらに、整流器３３の下流側には、平滑回路３４の構成素子の一部である抵抗３７が設けられている。なお、変圧器３２の二次側で整流器３３の上流側には、抵抗等が多数設けられているが、図３では省略されている。また、整流器３３の下流側には、抵抗３７以外の抵抗等が多数設けられているが、図３では省略されている。
【００５０】
電源監視ブロック３１は、変圧器３２の一次側、変圧器３２の二次側で整流器３３の上流側、及び整流器３３の下流側に接続され、変圧器３２の一次側の電圧及びコンデンサ３５，３６に蓄電されていた残留電荷を検出する。本実施例では、特に、変圧器３２の一次側の電圧を検出している点に特徴がある。
【００５１】
なお、変圧器３２の一次側の電圧、及び二次側で整流器３３の上流側の電圧はそれぞれ交流電圧であり、整流器３３の交流側の電圧は直流電圧である。
【００５２】
電源監視ブロック３１は、上記のように変圧器３２の一次側の電圧を検出することで、電源プラグ１２がコンセントから引き抜かれていたり、もしくは停電していたりして、ＰＳＵ１３に電力が供給されていないかを判別する。
【００５３】
上記構成において、電源監視ブロック３１は、商用電源１１から電力がＰＳＵ１３に供給されているか否か、または停電しているか否かを判別し、その判別結果を電源制御ブロック２１に伝える。これにより、電源制御ブロック２１は、例えシャットダウン後に電源プラグ１２がコンセントから引き抜かれ、かつコンデンサ３５，３６に残留電荷が残っている状態でも、画像形成装置がＯＮされるのを未然に防ぐことができる。すなわち、コンデンサ３５，３６に残留電荷が残っていて、それら残留電荷がコントローラ１４の電源ＯＮ開始に必要な電位となっていても、電源監視ブロック３１は、変圧器３２の一次側の電圧を検出することで商用電源１１からの電力供給の有無を判別する。これにより、電源監視ブロック３１は、コントローラ１４が起動を開始しないよう、電源制御ブロック２１を制御することが可能となる。
【００５４】
図４は、本実施例の電源監視装置が搭載された画像形成装置の動作フローを示すフローチャートである。
【００５５】
電源プラグ１２を商用電源１１に接続し画像形成装置に電力を供給する（ステップＳ１）。そして、電源制御ＩＣ等において初期化処理が必要な場合は、先ず、初期化の処理を実施する（ステップＳ２）。
【００５６】
その後、画像形成装置はシャットダウン状態に入り、電源制御ブロック以外は電源がＯＦＦされ、かつ外部からの割込み信号が検知されたか否か判別する（ステップＳ３）。割込み検知が発生した場合、従来の画像形成装置はスタンバイ状態へ移行するための処理を実施する。ここでの割込みとは、例えば、電源をＯＮするための電源スイッチボタンを押すなどの処理を示している。本実施例においては、電源スイッチボタン（一次電源）がＯＮされたか否かが判別される（スイッチＳ４）。電源スイッチボタン（一次電源）がＯＮされたと判別された場合は、画像形成装置の起動処理が実行される（ステップＳ５）。
【００５７】
そして、スタンバイ状態へ移行後（ステップＳ６）、シャットダウン状態へ移行する割込みを検知したか否か判別され（ステップＳ７）、検知した場合、シャットダウン移行への処理を実施する（ステップＳ８）。ここでの割込みとは、例えば電源をＯＦＦにするための電源スイッチボタンを押すなどの処理を示している。
【００５８】
最後に、電源プラグ１２がコンセントから引き抜かれた否か判別され（ステップＳ９）、引き抜かれた場合は上記一連の処理を終了する。
【００５９】
ステップＳ３において割り込み検知が発生していない場合、及びステップＳ４において電源スイッチボタン（一次電源）がＯＮされていない場合は、ステップＳ３に戻り、上記一連の処理を繰り返す。また、ステップＳ７においてシャットダウン状態へ移行する割込みを検知していない場合、及びステップＳ９において電源プラグ１２がコンセントから引き抜かれていない場合は、ステップＳ３に戻り、上記一連の処理を繰り返す。
【００６０】
本実施例では、例えば、スタンバイ状態移行への割込みが検知され、起動処理が開始される前に、商用電力が供給されているかいないかを判別する。供給されている場合は上記のとおり、起動処理を開始するが、供給されていない場合はシャットダウン状態へ移行し再び外部からの割込みを検知する。これにより、外部からの電力が供給されていない場合において、電源ＯＮのための処理がされたとしても起動処理は開始されず、意図しない起動・電源断を防ぐことが可能となる。
【００６１】
なお、上記動作フローでは、シャットダウン状態とスタンバイ状態について記載したが、他のモードへの遷移、例えば、シャットダウン状態と省エネ状態(一部デバイスがＯＮ)など、についても同様の制御で、意図しない起動・電源断を防ぐことができる。
【００６２】
《実施例２》
図５は、実施例２による電源監視装置４０を示す図である。本実施例では、電源監視部としての電源監視ブロック４１が、ＰＳＵ１３の内部ではなく、コントローラ１４の内部に設けられている。ＰＳＵ１３の内部には、図２の場合と同様、変圧器３２の二次側で整流器３３の上流側にコンデンサ３５が、整流器３３の下流側にコンデンサ３６がそれぞれ設けられている。
【００６３】
電源監視ブロック４１は、ＰＳＵ１３とコントローラ１４間の制御信号線（図５の破線）及びＰＳＵ１３内の破線（図２参照）を介して、変圧器３２の一次側、変圧器３２の二次側で整流器３３の上流側、及び整流器３３の下流側に接続されている。
【００６４】
電源監視ブロック４１は、変圧器３２の一次側、変圧器３２の二次側で整流器３３の上流側、及び整流器３３の下流側の電位を測定することにより、変圧器３２の一次側の電圧、コンデンサ３５，３６に蓄電されていた残留電荷を検出する。そして、コンデンサ３５，３６に残留電荷が残っていて、それら残留電荷がコントローラ１４の電源ＯＮ開始に必要な電位となっていても、電源監視ブロック４１は、変圧器３２の一次側の電位から商用電源１１からの電力供給の有無を判別する。これにより、電源監視ブロック４１は、コントローラ１４が起動を開始しないよう、電源制御ブロック２１を制御することが可能となる。
【００６５】
《実施例３》
図６は、実施例３による電源監視装置５０を示す図である。本実施例では、電源監視部としての電源監視ブロック５１が、ＰＳＵ１３やコントローラ１４の内部ではなく、独立して設けられている。ＰＳＵ１３の内部には、図２の場合と同様、変圧器３２の二次側で整流器３３の上流側にコンデンサ３５が、整流器３３の下流側にコンデンサ３６がそれぞれ設けられている。
【００６６】
また、電源監視ブロック５１は、ＰＳＵ１３とコントローラ１４間の制御信号線（図６の破線）に引き出し線（図６の破線）に接続されている。そして、電源監視ブロック５１は、前記引き出し線と制御信号線を介して、変圧器３２の一次側、変圧器３２の二次側で整流器３３の上流側、及び整流器３３の下流側にそれぞれ接続されている。
【００６７】
電源監視ブロック５１は、変圧器３２の一次側、変圧器３２の二次側で整流器３３の上流側、及び整流器３３の下流側の電位を測定することにより、変圧器３２の一次側の電位、コンデンサ３５，３６に蓄電されていた残留電荷を検出する。そして、コンデンサ３５，３６に残留電荷が残っていて、それら残留電荷がコントローラ１４の電源ＯＮ開始に必要な電位となっていても、電源監視ブロック５１は、変圧器３２の一次側の電位荷から商用電源１１からの電力供給の有無を判別する。これにより、電源監視ブロック５１は、コントローラ１４が起動を開始しないよう、電源制御ブロック２１を制御することが可能となる。
【００６８】
《実施例４》
図７は、実施例４による画像形成装置を示している。この画像形成装置６０の本体内には各機器が設けられている。すなわち、画像形成装置６０は、図１に示すように、４つのプロセスカートリッジ６１（６１Ｃ，６１Ｍ，６１Ｙ，６１Ｋ）、転写ベルト６２、露光装置６３、及び定着装置６４を備えている。プロセスカートリッジ６１は画像形成装置の機枠内のほぼ中央部に配置されている。
【００６９】
転写ベルト６２は、プロセスカートリッジ６１の下方に設置され、ローラ６６，６７に巻き回されて矢印Ａ方向に移動する。また転写ベルト６２は、プロセスカートリッジ６１内の像担持体６８と、この像担持体６８に対向配置された第一転写ローラ６９とに挟持されながら移動する。
【００７０】
露光装置６３は、プロセスカートリッジ６１の上方に配置されている。この露光装置６３は、プロセスカートリッジ６１内の像担持体６８に潜像を形成するためのもので、内部に、光学系として、ポリゴンミラー７０、反射ミラー７１、及びレンズ（図示省略）を有している。
【００７１】
転写ベルト６２の下方には、記録媒体７２を積載・収容した給紙カセット７３が配置されている。この給紙カセット７３の側方上部には給紙装置７４が設けられ、給紙装置７４は、給紙カセット７３内の記録媒体７２を１枚ずつ繰り出す。繰り出された記録媒体７２は、搬送ローラ対７５を介して、ローラ６７付近の転写ベルト６２と第二転写ローラ７６との間を通り、プロセスカートリッジ６１の側方に配置された定着装置６４へ導かれる。なお、記録媒体７２としては、用紙やＯＨＰシート等がある。
【００７２】
そして、第一転写ローラ６９に高電位を印加することによって、像担持体６８と転写ベルト６２との間に電位差を生じさせて、像担持体６８の外周面に形成されたトナー像を転写ベルト６２に転写する。
【００７３】
プロセスカートリッジ６１としては、シアン用のプロセスカートリッジ６１Ｃ、マジェンダ用のプロセスカートリッジ６１Ｍ、イエロー用のプロセスカートリッジ６１Ｙ、及びブラック用のプロセスカートリッジ６１Ｋが各々設けられている。そして、転写ベルト６２の矢印Ａ方向への移動に伴って、各プロセスカートリッジ６１Ｋ，６１Ｙ，６１Ｍ，６１Ｃにて色毎のトナー像が順次転写ベルト６２に転写され、転写ベルト６２上に単色トナー像を重ね合わせた複数色のカラートナー像が形成される。
【００７４】
記録媒体７２は、転写ベルト６２の移動にタイミングを合わせて、給紙装置７４によって搬送ローラ対７５から第二転写ローラ７６に供給される。そして、第二転写ローラ７６に高電位を印加することによって、転写ベルト６２と第二転写ローラ７６との間に電位差を生じさせる。これにより、転写ベルト６２の表面に形成された単色もしくはカラーのトナー像が記録媒体７２上に転写される。
【００７５】
トナー像（未定着トナー像）が転写された記録媒体７２は、転写ベルト６２から剥離されて定着装置６４に送られ、定着装置６４において、トナー像が記録媒体７２上に溶融定着される。その後、記録媒体７２は、定着装置６４の上方に設けられた排紙装置７７より、画像形成装置本体の上面の排紙トレー７８に排紙される。
【００７６】
なお、記録媒体７２へトナー像を転写した後、転写ベルト６２の表面に残っている余剰トナーは、転写ベルト清掃装置７９によって清掃され、転写ベルト６２下方のトナー回収装置８０に回収される。清掃された転写ベルト６２は、プロセスカートリッジ６１へ送られ、次のトナー像の転写に備える。
【００７７】
そして、上記構成の画像形成装置６０の内部には、実施例１に示した電源監視装置３０、実施例２に示した電源監視装置４０、及び実施例３に示した電源監視装置５０がそれぞれ搭載されている。
【００７８】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【００７９】
例えば、商用電源１１から電力がＰＳＵ１３に供給されているか否か、または停電しているか否かを判別する手段として、電源監視ブロック３１とは独立した別の電源監視装置を設けても良い。そして、この電源監視装置での判別結果を電源監視ブロック３１に入力するように構成することもできる。
【符号の説明】
【００８０】
１１  商用電源
１２  電源プラグ
１３  ＰＳＵ（電源供給部）
１４  コントローラ
２０  スイッチ
２１  電源制御ブロック
３０  電源監視装置
３１  電源監視ブロック（電源監視部）
３２  変圧器
３３  整流器
３５，３６  コンデンサ
４０  電源監視装置
４１  電源監視ブロック（電源監視部）
５０  電源監視装置
５１  電源監視ブロック（電源監視部）
６０  画像形成装置
【先行技術文献】
【特許文献】
【００８１】
【特許文献１】特開２０１１−１９４８３８号公報
【図１】
2014177038.tif 000003
【図２】
2014177038.tif 000004
【図３】
2014177038.tif 000005
【図４】
2014177038.tif 000006
【図５】
2014177038.tif 000007
【図６】
2014177038.tif 000008
【図７】
2014177038.tif 000009